(57)【特許請求の範囲】
【請求項１】
所定の情報記載部を備える上紙と分離剥離片を備える下紙とが重ね合わされる配送ラベルであって、
前記上紙は、
表面に所定の情報を記載させる第１情報記載部が分離自在に設けられる第１伝票部と、
前記第１伝票部の裏面側における前記第１情報記載部に対応する領域の周縁に形成される第１粘着層と、
表面に所定の情報を記載させる第２情報記載部が設けられて前記第１伝票部と連設され、前記第１情報記載部の領域内に収まるサイズで形成される第２伝票部と、
前記第２伝票部の裏面側における前記第２情報記載部に対応する領域の周縁に形成される第２粘着層と、
後に前記第１伝票部の第１情報記載部が分離されたときに前記第２伝票部が前記第２粘着層により一体となった前記下紙の分離剥離片が表出されるように折り込ませる折り線と、
後に前記第１伝票部の第１情報記載部が分離されたときに前記折り線で折り込まれた前記第２伝票部と一体の前記分離剥離片と共に表出され、当該第２伝票部を当該第１伝票部より切り取らせる切取り線と、を有し、
前記下紙は、
前記上紙の対向面の前記第１粘着層に対応した部分に形成される第１剥離層と、
前記第２粘着層に対応した部分に形成される第２剥離層と、
前記第２剥離層の外縁に、後に前記上紙が剥離される際に前記第２伝票部とは剥離されずに一体となって分離する前記分離剥離片を形成する分離線と、を有する、
ことを特徴とする配送ラベル。
【発明の詳細な説明】
【技術分野】
【０００１】
本発明は、配送物に貼付され、二種の伝票ラベルが一体化された配送ラベルに関する。
【背景技術】
【０００２】
近年、例えばゴルフ場にゴルフバックを配送（往路）し、その後に返送（復路）する配送形態が一般化している。このような配送形態においては、配送物に貼付される配送ラベルは往路用及び復路用を一体化し、かつ、一方面で一括に配送情報を形成させることが効率的である。この場合、往路の配送時に貼付される配送ラベルは、美観的にも復路用ラベルを表面化することなく、いわゆるラベルインラベルの形態が望まれる。
【０００３】
従来、配送ラベルとして、ラベル基材を受領書部と送り状部とに二分し、当該受領書部の受領書を切り用ミシン目で分離可能に形成して裏面に受領書と対応する部分を除いて粘着剤を設け、また、当該粘着剤を剥離紙で被覆し、当該剥離紙に上記粘着剤に対応した部分に粘着剤が存在するように保護部をスリットで区画形成し、当該保護部の送り状部側の端縁に沿ってスリット状の挿入口を設け、当該挿入口より、受領書部と保護部との間にカードや他の帳票などを挿入する構成のものが知られている（特許文献１）。
【先行技術文献】
【特許文献】
【０００４】
【特許文献１】特許第４２７６０４８号公報
【発明の概要】
【発明が解決しようとする課題】
【０００５】
しかしながら、上記のような配送ラベルは、ラベル内に他の部材を包含させる構成であり、挿入口より所定物を挿入する手間を要すると共に、挿入時に挿入口が破損する危険性もあるという問題がある。また、挿入する対象物が帳票などの場合には情報を記載する工程と配送ラベルに配送情報を記載する工程とは別であり、効率的ではないという問題もある。特に、ラベル内にラベルを包含させる形態は未だかつてなく、各ラベルへの情報の一括形成に対処させることもできない。
【０００６】
そこで、本発明は上記課題に鑑みなされたもので、ラベル情報を一括に形成させてラベルインラベル形態の実現化を可能とする配送ラベル提供することを目的とする。
【課題を解決するための手段】
【０００７】
上記課題を解決するために、請求項１の発明では、所定の情報記載部を備える上紙と分離剥離片を備える下紙とが重ね合わされる配送ラベルであって、前記上紙は、表面に所定の情報を記載させる第１情報記載部が分離自在に設けられる第１伝票部と、前記第１伝票部の裏面側における前記第１情報記載部に対応する領域の周縁に形成される第１粘着層と、表面に所定の情報を記載させる第２情報記載部が設けられて前記第１伝票部と連設され、前記第１情報記載部の領域内に収まるサイズで形成される第２伝票部と、前記第２伝票部の裏面側における前記第２情報記載部に対応する領域の周縁に形成される第２粘着層と、後に前記第１伝票部の第１情報記載部が分離されたときに前記第２伝票部が前記第２粘着層により一体となった前記下紙の分離剥離片が表出されるように折り込ませる折り線と、後に前記第１伝票部の第１情報記載部が分離されたときに前記折り線で折り込まれた前記第２伝票部と一体の前記分離剥離片と共に表出され、当該第２伝票部を当該第１伝票部より切り取らせる切取り線と、を有し、前記下紙は、前記上紙の対向面の前記第１粘着層に対応した部分に形成される第１剥離層と、前記第２粘着層に対応した部分に形成される第２剥離層と、前記第２剥離層の外縁に、後に前記上紙が剥離される際に前記第２伝票部とは剥離されずに一体となって分離する前記分離剥離片を形成する分離線と、を有する、構成とする。
【発明の効果】
【０００８】
本発明によれば、重ね合わされた下紙より上紙を剥離するに際して、下紙に設けられたスリットで第２伝票部と一体に分離剥離片を剥離させ、これを剥離した第１伝票部の裏面側の第１情報記載部の領域内に収まり、かつ、後に第１情報記載部が分離されたときに第２伝票部と一体の分離剥離片及び切取り線が表出するように折り線で折り曲げた形態で配送物に貼着させ、後に第１情報記載部を分離して表出した分離剥離片と一体の第２伝票部を切取り線より切り取らせる構成とすることにより、第１伝票部及び第２伝票部が同一面で情報を一括して形成することができ、第２伝票部を第１伝票部の第１情報記載部より小サイズとし、下紙より上紙を剥離する際に第２伝票部に対応する下紙の分離剥離片を当該第２伝票部と一体で分離させることから、第２伝票部を第１伝票部の裏面側に折り込むことができ、ラベルインラベル形態を実現化することができるものである。
【図面の簡単な説明】
【０００９】
【図１】本発明に係る配送ラベルの構成図である。
【図２】図１の配送ラベルにおけるラベル本体の剥離紙からの剥離形態の説明図（１）である。
【図３】図１の配送ラベルにおけるラベル本体の剥離紙からの剥離形態の説明図（２）である。
【図４】図３のラベル本体の貼付形態の説明図（１）である。
【図５】図３のラベル本体の貼付形態の説明図（２）である。
【図６】図５のラベル本体の使用形態の説明図（１）である。
【図７】図５のラベル本体の使用形態の説明図（２）である。
【発明を実施するための形態】
【００１０】
以下、本発明の実施形態を図により説明する。本実施形態おける各図は、本発明を理解しやすいように、特に厚さ寸法を無視して表している。また、配送ラベル１１は、往路用と復路用の二種の配送伝票を備えたものとして説明する。
【００１１】
図１に、本発明に係る配送ラベルの構成図を示す。図１（Ａ）〜（Ｃ）において、配送ラベル１１は、上紙１２及び下紙１３が重ね合わされる形態で構成される。上紙１２と下紙１３とは、上紙１２に形成される後述の切欠き部（２１Ａ）の領域を含ませると同一大である。
【００１２】
上紙１２は、第１伝票部２１と、連設伝票部２２とがスリット２３Ａ、２３Ｂ及び折り線２３Ｃにより連設されて一体化された形態である。第１伝票部２１は、角部の一に剥離紙となる下紙１３より剥離する際に摘み上げする切欠き部２１Ａが形成される。また、折り線２３Ｃまでの領域の周縁部２１Ｂを確保して、表面１２Ａに所定の情報（往路用の配送に関する情報）が記載される第１情報記載部となる往路用配達票２５及び往路用送付票２６がスリット３２Ａ〜３２Ｄにより周縁部２１Ｂより分離自在に形成される。往路用配達票２５と往路用送付票２６とは、スリット３２Ｅにより分離自在に形成される。なお、スリットは、粗いミシン目線、一部接続断裁線、厚み方向でのハーフカットを意味する。
【００１３】
そして、配達票２５には角部の一に摘み上げて分離させるための切欠き部２５Ａが形成され、送付票２６には角部の一に摘み上げて分離させるための切欠き部２６Ａが形成される。
【００１４】
連設伝票部２２は、上下に余剰片２８Ａ、２８Ｂが設けられ、当該余剰片２８Ａ、２８Ｂ間に第２伝票部２７及び連設部２８Ｃが設けられる。第２伝票部２７と連設部２８Ｃとは切取り線２４を介して連設され、連設部２８Ｃは折り線２３Ｃを介して第１伝票部２１と連設される。当該折り線２３Ｃは、後に第１伝票部２１の往路用配達票２５及び往路用送付票２６が分離されたときに第２伝票部２７が表出されるように折り込ませるためのものである。切取り線２４は、後に第１伝票部２１の往路用配達票２５及び往路用送付票２６が分離されたときに第２伝票部２７と共に表出され、当該第２伝票部２７を当該第１伝票部２１より切り取らせるためのものである。
【００１５】
余剰片２８Ａは、スリット２３Ａにより第１伝票部２１に対して分離可能とされ、スリット３３Ａにより第２伝票部２７及び連設部２８Ｃに対して分離可能とされる。また、余剰片２８Ｂは、スリット２３Ｂにより第１伝票部２１に対して分離可能とされ、スリット３３Ｂにより第２伝票部２７及び連設部２８Ｃに対して分離可能とされる。
【００１６】
また、第２伝票部２７は、切取り線２４及び余剰片２８Ａ，２８Ｂまでの領域の周縁部２７Ａを確保して、表面１２Ａに所定の情報（復路用の配送に関する情報）が記載される第２情報記載部となる復路用配達票２９及び復路用送付票３０がスリット３４Ａ〜３４Ｄにより当該周縁部２７Ａより分離自在に形成される。復路用配達票２９及び復路用送付票３０とは、スリット３４Ｅにより分離自在に形成される。当該第２伝票部２７は、上記第１伝票部２１の第１情報記載部（往路用配達票２５及び往路用送付票２６）の領域内に収まるサイズで形成される。
【００１７】
上記連設部２８Ｃは、上述のように折り線２３Ｃを介して第１伝票部２１と連設され、切取り線２４を介して第２伝票部２７と連設されるもので、さらに、所定数（ここでは３つとする）の窓部形成スリット３１が形成される。
【００１８】
一方、上紙１２の裏面１２Ｂでは、図１（Ｃ）に示すように、第１伝票部２１の裏面側における往路用配達票２５及び往路用送付票２６に対応する領域の周縁、すなわち周縁部２１Ｂに対応する領域に第１粘着層４１Ａが形成される。なお、第１粘着層４１は、例えばホットメルトが塗布されて形成されたもので、以下、粘着層と称する部分で同様の粘着剤である。
【００１９】
また、第２伝票部２７の裏面側における復路用配達票２９及び復路用送付票３０に対応する領域の周縁、すなわち周縁部２７Ａに対応する領域に第２粘着層４１Ｂが形成される。そして、連設部２８Ｃの裏面側におけるそれぞれの窓部形成スリット３１の内側に第２粘着層４１Ｃが形成されると共に、各余剰片２８Ａ，２８Ｂの裏面側にそれぞれ第２粘着層４１Ｄが形成される。なお、第２伝票部２７における周縁部２７Ａの裏面側に第２粘着層４１Ｂを形成して復路用配達票２９及び復路用送付票３０の裏面側には粘着層を形成していないが、復路用送付票３０の裏面側に粘着層を形成してもよく、また、復路用配達票２９及び復路用送付票３０の裏面側に疑似接着層を形成してもよいものである。
【００２０】
上記下紙１３は、上紙１２との重ね合わせ面上であって、上記第１粘着層４１Ａに対応する領域に第１剥離層５４Ａが形成され、上記第２粘着層４１Ｂに対応する領域に第２剥離層５４Ｂが形成される。第１剥離層５４Ａ及び第２剥離層５４Ｂは、例えばシリコン含有の剥離剤が塗布されて形成されたものである。
【００２１】
また、第２伝票部２７に対応した領域、すなわち第２剥離層５４Ｂの外縁には、分離線としてのスリット５２Ａ〜５２Ｃが形成される。このスリット５２Ａ〜５２Ｃを形成することで、後に上紙１２が下紙１３より剥離される際に第２伝票部２７とは剥離されずに一体となって分離する分離剥離片５３が形成されるものであり、下紙１３は分割剥離紙５１となる。当該分離剥離片５３の裏面に、「切取り線より切り取ってください」との表示を予め印字しておいてもよい。なお、第２伝票部２７の復路用送付票３０の裏面側に粘着層を形成する場合には、分離剥離片５３上の対応部分に剥離層が形成される。
【００２２】
なお、上記余剰片２８Ａ、２８Ｂに対応した領域、及び、上記それぞれの窓部形成スリット３１の内側に対応した領域には剥離層は形成されない。すなわち、上紙１２と下紙１３とが重ね合わされた後に、上紙１２を下紙１３より剥離する際には、余剰片２８Ａ，２８Ｂ及び窓部形成スリット３１内の領域は下紙１３に接着した状態となって残存されるものである。また、上記各スリット２３Ａ，２３Ｂ、３１，３２Ａ〜３２Ｅ，３３Ａ，３３Ｂ，３４Ａ〜３４Ｅ，５２Ａ〜５２Ｃは、上紙１２と下紙１３とを重ね合わせた後に、カッタなどにより形成される。
【００２３】
そこで、図２及び図３に、図１の配送ラベルにおけるラベル本体の剥離紙からの剥離形態の説明図を示す。前提として、配送ラベル１１において、往路用配達票２５及び往路用送付票２６、並びに、復路用配達票２９及び復路用送付票３０に対応の配送情報が一括で印字される。
【００２４】
まず、当該配送ラベル１１を所定の配送物に貼付させる場合、図２（Ａ）において、上紙１２（第１伝票部２１）の切欠き部２１Ａを摘み上げて下紙１３より剥離させていくと、上述のように、上紙１２の余剰片２８Ａ，２８Ｂ及び窓部形成スリット３１内の領域は第２粘着層４１Ｃ，４１Ｄにより下紙１３に接着した状態となっていることから、図２（Ｂ）に示すように、連設伝票部２２の連設部２８Ｃに形成された窓部形成スリット３１及びスリット３３Ａ，３３Ｂにより、当該余剰片２８Ａ，２８Ｂ及び窓部形成スリットの内側領域の窓部片５５Ａ〜５５Ｃが下紙１３に残存され、さらに下紙１３に形成されたスリット５２Ａ〜５２Ｃにより分離剥離片５３が第２伝票部２７とは剥離されずに一体となって剥離、分離されていく。
【００２５】
そして、図３に示すように、下紙１３より完全に剥離された状態のラベル本体１４となる。すなわち、ラベル本体１４は、往路用配達票２５及び往路用送付票２６の第１情報記載部を備えた第１伝票部２１と、当該第１伝票部２１と折り線２３Ｃで連設され、上記窓部片５５Ａ〜５５Ｃの抜き取られた後の各窓部３５を備えた連設部２８Ｃと、当該連設部２８Ｃと切取り線２４で連設された第２伝票部２７とを備えたものとなる。
【００２６】
一方、下紙１３では、上紙１２の余剰片２８Ａ、２８Ｂ及び各窓部片５５Ａ〜５５Ｃが残存し、スリット５２Ａ〜５２Ｃで分離剥離片５３が分離された状態となるものである。
【００２７】
続いて、図４及び図５に、図３のラベル本体の貼付形態の説明図を示す。図４において、図３に示すラベル本体１４は、第１伝票部２１に対して分離剥離片５３が一体となった第２伝票部２７を折り線２３Ｃで、当該第１伝票部２１の裏面側に折り込むようにして折り曲げていく。
【００２８】
そして、ラベル本体１４は、図５（Ａ）に示すような第２伝票部２７が第１伝票部２１の裏面側に折り曲げられた状態では、図５（Ｂ）に示すように、復路用配達票２９及び復路用送付票３０と切取り線２４とが第１伝票部２１の往路用配達票２５及び往路用送付票２６の領域内に位置される。
【００２９】
そして、連設部２８Ｃが往路用配達票２５及び往路用送付票２６の周縁に設けられた第１粘着層４１Ａで接着され、各窓部３５より第１粘着層４１Ａが表出し、当該往路用配達票２５及び往路用送付票２６の周縁であって、連設部２８Ｃ以外の領域の第１粘着層４１が表面化するものである。
【００３０】
次に、図６及び図７に、図５のラベル本体の使用形態の説明図を示す。図６に示すように、図５（Ａ）、（Ｂ）に示すラベル本体１４は、配送物６１に貼着される。この状態は、往路用の第１伝票部２１に第２伝票部２７が包含された、ラベルインラベルの形態として貼着されるものである。
【００３１】
上記ラベル本体１４が貼着された配送物６１が、配送情報に従って目的地まで配送されると、図７（Ａ）に示すように、往路用配達票２５が切欠き部２５Ａより摘み上がられて周縁部２１Ｂより分離されると共に、往路用送付票２６が切欠き部２６Ａより摘み上げられて周縁部２１Ｂより分離される。
【００３２】
上記往路用配達票２５及び往路用送付票２６が分離されると、図７（Ｂ）に示すように、包含されていた第２伝票部２７と重ね合わされている分離剥離片５３及び切取り線２４が表出する。そこで、適宜印字されている「切取り線より切り取ってください」の指示表示に従って、切取り線２４より分離剥離片５３と共に第２伝票部２７を切り取っていく。
【００３３】
一方、復路用の配送物６１Ａに対して、図７（Ｃ）に示すように、上記切り取った第２伝票部２７を分離剥離片５３より剥離し、図７（Ｄ）に示すように、復路用の配送物６１Ａに貼着させるものである
【００３４】
このように、下紙１３より上紙１２を剥離するに際して、下紙１３に設けられたスリット５２Ａ〜５２Ｃで第２伝票部２７と一体に分離剥離片５３を剥離させ、これを剥離した第１伝票部２１の裏面側の往路用配達票２５、往路用送付票２６の領域内に収まり、かつ、後に往路用配達票２５、往路用送付票２６が分離されたときに分離剥離片５３（第２伝票部２７）及び切取り線２４が表出するように折り線２３Ｃで折り曲げる形態とし、折り込んだ形態で配送物に貼着させ、往路用配達票２５、往路用送付票２６を分離して表出した第２伝票部２７（分離剥離片５３）を切取り線２４より切り取らせるような構成とすることにより、往路用配達票２５及び往路用送付票２６、並びに、復路用配達票２９及び復路用送付票３０に対してラベル情報を一括に形成させることができ、また、第２伝票部２７を第１伝票部２１の往路用配達票２５及び往路用送付票２６より小サイズとし、下紙１３より上紙１２を剥離する際に第２伝票部２７に対応する下紙１３の分離剥離片５３を当該第２伝票部２７と一体で分離させることから、第２伝票部２７を第１伝票部２１の裏面側に折り込むことができ、ラベルインラベル形態を実現化することができるものである。
【産業上の利用可能性】
【００３５】
本発明の配送ラベルは、所定の情報が表示されて配送物に貼付される伝票等のラベル及び当該ラベルを作製する産業に利用可能である。
【符号の説明】
【００３６】
１１            配送ラベル
１２            上紙
１３            下紙
１４            ラベル本体
２１            第１伝票部（往路ラベル）
２１Ａ          切欠き部
２１Ｂ          周縁部
２２            連設伝票部
２３Ａ，２３Ｂ  スリット
２３Ｃ          折り線
２４            切取り線
２５            往路用配達票（第１情報記載部）
２６            往路用送付票（第１情報記載部）
２５Ａ，２６Ａ  切欠き部
２７            第２伝票部（復路ラベル）
２７Ａ          周縁部
２８Ａ，２８Ｂ  余剰片
２８Ｃ          連設部
２９            復路用配達票（第２情報記載部）
３０            復路用送付票（第２情報記載部）
２９Ａ，３０Ａ  切欠き部
３１            窓部形成スリット
３２〜３４      スリット
３５            窓部
４１Ａ          第１粘着層
４１Ｂ          第２粘着層
５１            分割剥離紙
５２            スリット
５３            分離剥離片
５４Ａ          第１剥離層
５４Ｂ          第２剥離層
５５            窓部片
６１            配送物
【図１】
0006448275.tif 000002
【図２】
0006448275.tif 000003
【図３】
0006448275.tif 000004
【図４】
0006448275.tif 000005
【図５】
0006448275.tif 000006
【図６】
0006448275.tif 000007
【図７】
0006448275.tif 000008